(57)【要約】【課題】  本発明は、果実をトレーに収容して運搬する際の果実収容凹部内での果実の動きを抑制し果実の側面や底部に傷が発生することを防止し得る構造を有する果実用パルプモウルドトレーを提供することを目的とする。【解決手段】  隔壁４を介して果実収容凹部３が複数個形成された果実用パルプモウルドトレー１において、各果実収容凹部３の底面略中央部に球面状突起３ａを設け、果実収容凹部３間の隔壁４が交差する位置に交差凸部５を形成し、交差凸部５の上面に上記隔壁４の延長方向に延びる延長方向溝５ｂを形成し、さらに延長方向溝５ｂと連通する中央溝５ａを形成し、かつ上記隔壁４に沿って上記延長方向溝５ｂの方向に延びる弦部６’を有する弧状壁６を形成した。【選択図】          図１
2005096827.tif 000002
【特許請求の範囲】
【請求項１】
隔壁を介して果実収容凹部が複数個形成された果実用パルプモウルドトレーにおいて、
上記各果実収容凹部の底面略中央部に、上方に突出する球面状突起を設けてなることを特徴とする果実用パルプモウルドトレー。
【請求項２】
上記球面状突起は、果実の蔕部の窪みに嵌合し得る程度の大きさであることを特徴とする請求項１記載の果実用パルプモウルドトレー。
【請求項３】
隔壁を介して果実収容凹部が複数個形成された果実用パルプモウルドトレーにおいて、
上記各果実収容凹部の底面略中央部に、下向き凹所を設けてなることを特徴とする果実用パルプモウルドトレー。
【請求項４】
上記下向き凹所は、果実の蔕部の枝を収容し得る程度の大きさであることを特徴とする請求項３記載の果実用パルプモウルドトレー。
【請求項５】
上記果実収容凹部間の隔壁が交差する位置に交差凸部を形成し、
該交差凸部の上面に上記隔壁の延長方向に延びる延長方向溝を形成すると共に該延長方向溝と連通する中央溝を形成したものであることを特徴とする請求項１〜４の何れかに記載の果実用パルプモウルドトレー。
【請求項６】
上記隔壁に沿って上記延長方向溝の方向に延びる補強壁を形成したものであることを特徴とする請求項５記載の果実用パルプモウルドトレー。
【発明の詳細な説明】
【技術分野】
【０００１】
本発明は、果実を収容し運搬するための果実用パルプモウルドトレーに関するものである。
【背景技術】
【０００２】
従来、複数個の果実を収納するためのパルプモウルドトレーが提案されている（特許文献１、２参照）。この種のパルプモウルドトレーは、板面に複数の果実収容凹部を形成し、これらの果実収容凹部を複数の収容壁で分離する構成を有しており、略碗状或いはカップ状に形成された上記果実収容凹部内に１個毎に果実を収容し、運搬等に供されるものである。
【０００３】
【特許文献１】登録実用新案第３０５２９０３号公報
【０００４】
【特許文献２】登録実用新案第３０４１９０３号公報
【発明の開示】
【発明が解決しようとする課題】
【０００５】
ところで、上記従来のパルプモウルドトレーは、図１０に示すように、上記トレーに収納された果実７が車両等により運搬される際の振動等によって果実収納凹部９内で摺動し、収容壁９ａと接する部分（特に、蔕部の周辺部７ａ）に擦り傷等が発生したり、収容される果実７が柔らかいものである場合には、収容壁９ａの肩部Ｓに衝突することで押し傷等が発生して商品価値の低減を招くといった問題がある。
【０００６】
また、果実をトレーに詰める作業時において、トレーの肩部Ｓ等で果実を傷付け易く、また果実詰作業後に果実を収容した果実用パルプモウルドトレーを運搬する場合、運搬時の振動により収容壁９ａの肩部Ｓが果実７に圧接することにより、果実が損傷を受け易いという問題もある。
【０００７】
本発明はかかる点に鑑みてなされたものであって、果実をトレーに収容して運搬する際の果実収容凹部内での果実の動きを抑制し、果実に傷が発生することを防止し得る果実用パルプモウルドトレーを提供することを目的とする。また、果実の収容壁肩部への衝突、果実蔕部周辺等の傷の発生を防止し得る構造を有する果実用パルプモウルドトレーを提供することを目的とする。
【課題を解決するための手段】
【０００８】
本発明は上記課題を解決するため、
第１に、隔壁を介して果実収容凹部が複数個形成された果実用パルプモウルドトレーにおいて、上記各果実収容凹部の底面略中央部に、上方に突出する球面状突起を設けてなることを特徴とする果実用パルプモウルドトレーにより構成される。
【０００９】
上記果実用パルプモウルドトレーに凹設される果実収容凹部（３）は果実を安定した状態で保持できるものであれば特にその形状は問わないが、果実の一般的な形状から略半円球状であることが望ましい。上記球面状突起（３ａ）は果実の例えば蔕部の窪みと係合して果実の横方向等の動きを抑制することを目的とするものであるので、トレー（１）に収容する対象となる果実の種類によってその形状や大きさを適宜選定して形成することが好ましい。従って、上記果実収容凹部（３）内に果実の例えば蔕部を下向きにして収容すると、上記蔕部の窪みに上記球面状突起（３ａ）が係合し、これにより上記果実を果実収容凹部内で安定して収容し得る。
【００１０】
第２に、上記球面状突起は、果実の蔕部の窪みに嵌合し得る程度の大きさであることを特徴とする上記第１発明記載の果実用パルプモウルドトレーにより構成されるものである。
【００１１】
このように構成すると、球面状突起（３ａ）と果実の窪みとの嵌合により、トレー（１）に収用された果実の動きが制限されるため、果実側面や果実収容凹部（３）の底部側の果実底面（例えば蔕部周辺）に擦り傷等が発生することを防止することができる。
【００１２】
第３に、隔壁を介して果実収容凹部が複数個形成された果実用パルプモウルドトレーにおいて、上記各果実収容凹部の底面略中央部に、下向き凹所を設けてなることを特徴とする果実用パルプモウルドトレーにより構成される。
【００１３】
上記果実収容凹部（３）内に果実の蔕部を下向きにして収容すると、例えば上記蔕部の枝（１０”）等が上記下向き凹所（８ａ）内に位置することにより、上記蔕部の周辺が上記果実収容凹部（３）の底面に支持されるため、上記果実を上記果実収容凹部（３）内で安定して保持し得る。
【００１４】
第４に、上記下向き凹所は、果実の蔕部の枝を収容し得る程度の大きさであることを特徴とする上記第３発明記載の果実用パルプモウルドトレーにより構成されるものである。
【００１５】
このように構成すると、上記下向き凹所（８ａ）と上記果実の蔕部の枝（１０”）が係合し、トレー（１）に収容された果実の動きが制限されるため、果実側面や果実収容凹部（３）の底部側の果実底面（例えば蔕部周辺）に擦り傷等が発生することを防止することができる。
【００１６】
第５に、上記果実収容凹部間の隔壁が交差する位置に交差凸部を形成し、該交差凸部の上面に上記隔壁の延長方向に延びる延長方向溝を形成すると共に該延長方向溝と連通する中央溝を形成したものであることを特徴とする上記第１〜第４の何れかの発明に記載の果実用パルプモウルドトレーによって構成される。
【００１７】
このように構成すると、果実収容凹部（３）間の交差凸部（５）の緩衝作用により果実の側面等の損傷を防止することができる。
【００１８】
第６に、上記隔壁に沿って上記延長方向溝の方向に延びる補強壁を形成したものであることを特徴とする上記第５の発明に記載の果実用パルプモウルドトレーによって構成される。
【００１９】
上記補強壁は、上記隔壁（４）の延長方向に延びる弦部（６’）を有する弧状壁（６）により構成することが好ましい。このように構成すると、補強壁によりトレーの強度を増加し得る。
【００２０】
尚、本欄において本発明の構成に対応して実施形態中の符号をカッコ書で記載したが、これは対応関係を明確にするために便宜上付したものであり、本発明の構成がこれらの構成部材に限定されるものではない。
【発明の効果】
【００２１】
本発明は以上のように構成されるので、果実収容凹部に設けた球面状突起又は下向き凹所により果実収容凹部内において果実を安定して収容保持し得て、これにより果実の側面や底部等の損傷を防止することができる。
【００２２】
また、果実収容凹部内に設けた下向き凹所により、例えば小玉の果実の凹部内における転がりを防止し得て、これにより果実の損傷を防止することができる。
【００２３】
また、交差凸部の緩衝作用により果実への損傷を防止することができる。
【００２４】
また、トレーに果実を詰める作業を行う際、或いはトレーに収容した果実を運搬、輸送する際の取り扱いが容易であり、作業能率の向上が期待できる。
【発明を実施するための最良の形態】
【００２５】
以下、本発明の実施の形態を添付図面に基づいて説明する。
【００２６】
図１は本発明に係る果実用パルプモウルドトレー１の実施の形態を示した平面図であり、当該モウルドトレー１はいわゆるパルプモウルド抄製法により一体的に成形されたものである。
【００２７】
この果実用パルプモウルドトレー１は、全体が略長方形板状に成形されており、その板面に複数個の略半円球形状の果実収容凹部３が千鳥状に近接して凹設され、上記トレー１の周縁部には、上記各収容凹部３の開口上縁と同一水準位置の平面状の側縁部２が形成されている。尚、上記果実収容凹部３の側壁を収容壁３ｂ、該凹部３の開口上縁近傍を肩部Ｓという。ところで、図１には収容凹部３の千鳥配列のトレーを示すが、該凹部３の設置数によっては千鳥配列とならず、整列配列となる場合もある。
【００２８】
各隣接する果実収容凹部３は隔壁４により隔てられており、該各隔壁４の上部４’は上向凹弧状に形成されることにより、当該各隔壁４は全体として鞍状に形成されている（図４及び図５参照）。これらの隔壁４は、トレー１略中央部にあって側縁部２に接していない果実収容凹部３（例えば図１中［ａ］の位置の果実収容凹部３）においては、斜方向に隣接する４つの果実収容凹部３（図１中[ｂ]〜[ｅ]の位置の果実収容凹部３）との間に４箇所設けられており、トレー１の側縁部２に接して設けられた果実収容凹部３（例えば図１中[ｄ]の位置の果実収容凹部３）においては、斜方向に隣接する２つの果実収容凹部３（図１中[ｉ][ａ]の位置の果実収容凹部３）との間に２箇所設けられており、トレー１のコーナ部１ａに位置する果実収容凹部３（例えば図１中[ｋ]の位置の果実収容凹部３）においては、斜方向に隣接する１つの果実収容凹部３（図１中[ｂ]の位置の果実収容凹部３）との間に１箇所設けられている。
【００２９】
上記各隔壁４が交差する位置には、上記隔壁４の両端部から連続して上記側縁部２と略同一高さの交差凸部５が各々形成されている。これにより、トレー１内の４個隣接した果実収容凹部３（例えば図１中[ａ][ｂ][ｇ][ｃ]の位置の果実収容凹部３）に囲まれた部分には４つの隔壁４が交差する１つの交差凸部５が位置することとなり、上記４個の隣接果実収容凹部３はこの交差凸部５によって隔てられた状態となっている。また、トレー１の長手方向の側縁部２に沿って隣接する２個の果実収納凹部３（例えば図１中[ｇ][ｈ]の位置の果実収容凹部３）間には２つの隔壁４が交差する１つの交差凸部５が位置することとなり、上記２個の隣接果実収容凹部３はこの交差凸部５によって隔てられた状態となっている。
【００３０】
各交差凸部５の上面には上記隔壁４の延長方向に延びる延長方向溝５ｂが凹設されており、該延長方向溝５ｂの上記隔壁４側の端部は該隔壁４の上部４’に開口部４”を以って接続している（図５参照）。
【００３１】
更に上記各交差凸部５の上面には中央溝５ａが凹設され、該中央溝５ａの端部が上記各延長方向溝５ｂと連通するように形成されている。これにより、上記トレー１中央部にあって側縁部２側に位置していない交差凸部５の上面には、中央に直線的な中央溝５ａと、該中央溝５ａの両端に連通し、交差する４個の隔壁４の方向に延びる４つの延長方向溝５ｂが形成される。また、上記トレー１の側縁部２側に位置する交差凸部５の上面には中央に直線的な中央溝５ａと、該中央溝５ａの一端に連通し、交差する２個の隔壁４の方向に延びる２つの延長方向溝５ｂが形成される。このような構成により、上記交差凸部５上面は、複数の部分５１，５２、５３に分割されている（図１参照）。即ち、例えばトレー１の中央寄りに位置する凹部３（例えば［ａ］）では、図７（ａ）に示すように、左右方向に一対の分割部分５１が位置しており、同図中、上下方向に一対の分割部分５２が位置する構成となり、側縁部２側に位置する凹部３（例えば［ｇ］）では図７（ｂ）に示すように、左右方向に一対の分割部分５３が位置しており、同図中、下側に１つの分割部分５２が位置する構成となっている。
【００３２】
また、上記隔壁４の上部４’上には上記延長方向溝５ｂの方向に延びる弦部６’を有する弧状壁６が直立形成されている（図５等参照）。なお、ここでは、該弧状壁６の弦部６’は上記中央溝５ａ及び延長方向溝５ｂの底面より若干低い高さに形成されているが、上記中央溝５ａ及び延長方向溝５ｂの底面と略同一高さに形成しても差し支えなく、また弧状壁６をすべての隔壁４に形成することなく任意数及び任意位置に適宜形成することも可能である。
【００３３】
また、上記果実収容凹部３の底面略中央部には上方に向かって突出する球面状突起３ａが形成されている（図６等参照）。この球面状突起３ａは、平面視略円形を成し（図１参照）、上方に向けてドーム状に盛り上がった球面状の表面を有する突起であり（図６参照）、当該球面状突起３ａは、図６に示すように、例えばトマト等の果実７の蔕７’の窪みに嵌合し得る程度の突出高さ及び突出表面形状を有するものである。なお、図６では実施形態として収容する果実にトマトを示しているが、当該球面状突起３ａはトマトに限らず、各種の果実の蔕の窪み、或いは果実の蔕とは反対側の窪みに嵌合し得る形状に成形されるものである。
【００３４】
本発明は上述のように構成されるものであるから、以下、本発明に係るトレーを使用した場合の動作を説明する。
【００３５】
まず、本発明に係る果実用パルプモウルドトレー１の各果実収容凹部３にトマト等の果実７を１個ずつ収容する。収容する果実が例えばトマトや柿といった蔕７’又は枝７”を有するものである場合、果実７を上下逆向きにして上記球面状突起３ａに蔕７’又は枝７”の部分の窪み（凹部）を嵌合させて収容する。これにより、上記球面状突起３ａが果実７の上記窪みに係合乃至は嵌合し或いは該突起３ａに蔕７’又は枝７”がひっかかり、果実７は、その蔕部が上記球面状突起３ａで支持されて、主に横方向への動きが抑制され、これにより当該果実７を果実収容凹部３内において安定して収納し得る。上記枝７”は短く硬いため、上記球面状突起３ａに刺入させることができる程度に、上記トレー１を薄く、かつ柔軟に抄製することが好ましく、果実７の収容時において、上記枝７”を上記球面状突起３ａに刺入することにより、該果実７をより安定して保持し得る。
【００３６】
また、例えば果実７を果実収容凹部３に挿入する際に、果実側面が収容凹部３の肩部Ｓに接する場合であっても、交差凸部５の各分割部分５１、５２、５３が中央溝５ａ又は延長方向溝５ｂの方向に弾性的に変形して凹部３の開口を拡大するため、果実を傷つけることもなく、円滑かつ容易に収容凹部３内に収納することができる。収納後は、上記果実７に上記各分割部分５１、５２、５３の弾性力が作用することにより、果実が収容凹部３内において確実に保持される。
【００３７】
また、果実収容後に車両等により運搬される際に振動等が発生しても、果実７は球面状突起３ａにより安定して保持されているので、果実７と収容壁３ｂとが接する部分（果実側面７ｂ或いは果実の蔕部（底部）周辺７ａ）に擦り傷等が発生すること等を防止することができ、また、収容される果実が柔らかいものである場合に収容壁３ｂの肩部Ｓへの衝突による押傷等の損傷を受けることもない。
【００３８】
また、果実７は果実収容凹部３内の球面状突起３ａ及び交差凸部５により安定して保持されるので、トラック等の運送時において、該収容凹部３内の果実７の横方向の摺動や上下方向の振動を抑制することができる。また、果実収容凹部３間に形成された交差凸部５においては、その上面に延長方向溝５ｂ、中央溝５ａが形成されているため、該交差凸部５に横方向から押圧力が作用しても、交差凸部５の上記各溝５ａ，５ｂにより分割された上面各部（図１中の部分５１，５２又は５３）が、上記各溝５ａ，５ｂの方向或いはその反対方向に変形して衝撃緩衝作用を発揮し得るため、果実収容凹部３の収容壁３ｂ或いは肩部Ｓの果実７側面への衝撃が緩和され、これにより果実７の損傷を効果的に防止することができる。
【００３９】
また、トレー１の湾曲等により上記果実収容凹部３の肩部Ｓが果実７に圧接することがあっても、上記交差凸部５の上面に凹設された中央溝５ａ及び延長方向溝５ｂにより交差凸部５の上面部が比較的容易に変形し得るため、上記肩部Ｓの果実７への押圧力をも緩和することができる。
【００４０】
また、果実をトレーに詰める作業を行う際、或いはトレーに収容した果実を運搬、輸送する際の取り扱いにおいて、従来のトレーを使用して作業していた場合における程の慎重さを要さないため、取り扱い容易であり作業能率の向上が期待できる。
【００４１】
図８、図９に示すものは、本発明の果実用パルプモウルドトレー１の他の実施形態であり、該果実収容凹部３の底面の略中央部に下方に向けて下向き凹所８ａを形成したものである。この実施形態のトレー１は、主に小さい（小玉）のトマト等の果実１０に用いられるものである。この下向き凹所８ａは、上記果実収容凹部３の底面略中央部において、該凹部３の底面水準位置からさらに下向きに所定深さの窪みとなるように凹設されており、従って該凹所８ａの底面位置は果実収容凹部３の底面より下方水準位置に位置するように形成されている。この下向き凹所８ａは、平面視略円形を成し、下方に向けてドーム状に窪んだ球面状の内面を有している（図９参照）。
【００４２】
尚、上記下向き凹所８ａは、例えば小玉のトマト等の果実蔕部の枝１０”を収容し得る程度の深さ、開口面積、内表面形状を有するように成形することが好ましい。
【００４３】
ところで、例えば小玉のトマト等の小さい果実１０を収穫する際には、蔕１０’部分の枝１０”をある程度残して切り取られることが多く、この場合、枝１０”が蔕部周辺より外方に突出した状態となる（図８参照）。このため、このような果実１０を収容する場合は、本実施形態のような下向き凹所８ａを有するトレー１を使用し、上記枝１０”を上記下向き凹所８ａ内に位置させた状態で当該果実を収容するものである。尚、図８には１個の果実収容凹部３のみを示すが、勿論当該実施形態においても、他の全ての果実収容凹部３の底面中央部に、下向き凹所８ａが設けられるものである。即ち、図１に示す球面状突起３ａに代えて、当該突起３ａの位置に下向き凹所８ａが設けられるものであ。
【００４４】
尚、図１の実施形態のトレー１と同様に、上記枝１０”を上記下向き凹所８ａ下面に刺入させることができる程度に、上記トレー１を薄く、かつ柔軟に抄製することが好ましい。
【００４５】
当該実施形態は上述のように構成されるものであるため、小玉のトマト等の果実１０を上記果実収容凹部３に収容するには、蔕１０’を下向きにしてその枝１０”が下向き凹所８ａ内に位置するように当該果実を当該果実収容凹部３内に収容する。
【００４６】
このとき、上記果実の枝１０”が上記下向き凹所８ａ内に位置して当該凹所８ａに係合乃至は嵌合した状態となり、これにより果実１０の蔕部周辺が上記下向き凹所８ａ周辺の果実収容凹部３の底面にて支持された状態となる。これにより、果実は果実収容凹部３内において、横方向或いは回転方向（図８中矢印方向）の動きが抑制され、安定した状態で保持される。
【００４７】
従って、上記下向き凹所８ａと果実の蔕部の枝１０”との係合により、当該果実の横方向或いは回転方向の動きが制限され、出荷運搬時の振動等による果実の転がりや摺動を防止し得て、果実側面や果実収容凹部８の底部側の果実底面（例えば蔕部周辺）に擦り傷等が発生することを防止することができる。
【００４８】
尚、図８では実施形態として収容する果実にトマトを示しているが、当該下向き凹所８ａは、トマトに限らず各種の果実の蔕部の枝、或いは果実の蔕とは反対側の出っ張りを収容し得る形状に成形することができるものである。また、図８に示す他の実施形態のトレー１においては、収容される果実が主に小さく軽いことから、交差凸部５に中央溝５ａ及び延長方向溝５ｂを設けない構成としても良い。
【図面の簡単な説明】
【００４９】
【図１】本発明に係る果実用パルプモウルドトレーの平面図である。
【図２】図１のＡ−Ａ線断面図である。
【図３】図１のＢ−Ｂ線断面図である。
【図４】本発明に係る果実用パルプモウルドトレーの斜視図である。
【図５】同上トレーの隔壁近傍の一部拡大斜視図である。
【図６】本発明に係る果実収容凹部の縦断面図である。
【図７】（ａ）は中央部に位置する果実収容凹部の平面図、（ｂ）は側縁部に位置する果実収容凹部の平面図である。
【図８】本発明に係る果実収容凹部の他の実施形態の縦断面図である。
【図９】下向き凹所の断面図である。
【図１０】従来の果実収容凹部の縦断面図である。
【符号の説明】
【００５０】
１    果実用パルプモウルドトレー
２    側縁部
３    果実収容凹部
３ａ  球面状突起
３ｂ  収容壁
４    隔壁
５    交差凸部
５ａ  中央溝
５ｂ  延長方向溝
６    弧状壁
６’  弦部
７，１０    果実
８ａ  下向き凹所
【図１】
2005096827.tif 000003
【図２】
2005096827.tif 000004
【図３】
2005096827.tif 000005
【図４】
2005096827.tif 000006
【図５】
2005096827.tif 000007
【図６】
2005096827.tif 000008
【図７】
2005096827.tif 000009
【図８】
2005096827.tif 000010
【図９】
2005096827.tif 000011
【図１０】
2005096827.tif 000012